(57)【要約】【課題】プレビュー画像表示方法及び装置、並びに端末を提供する。【解決手段】方法は、端末により、カメラによってキャプチャされた画像が取得されるステップと、画像に基づいて生成される第１プレビュー画像及び第２プレビュー画像が端末のスクリーンに表示されるステップとを有する。ここで、第２プレビュー画像のサイズは、第１プレビュー画像のサイズよりも小さい。本発明の実施形態では、ユーザが第２プレビュー画像に基づいて写真の構図を調整できるよう、第１プレビュー画像が従来通りフルスクリーン表示されるとともに、第１プレビュー画像よりも小さい第２プレビュー画像が追加的に表示され得る。それにより、写真撮影結果を向上させ、ユーザの写真撮影体験を良好なものとする。【選択図】図１
2018023158.tif 000002
【特許請求の範囲】
【請求項１】
前面カメラ、背面カメラ及びスクリーンを備えた端末によって実施される方法であって、
セルフタイマーモードで前記前面カメラを介して複数の画像を取得するステップであって、前記前面カメラ及び前記スクリーンが前記端末の同一の面に配置される、ステップと、
前記スクリーンに第１プレビュー画像を表示するステップであって、前記第１プレビュー画像は、前記前面カメラによって取得される前記複数の画像に基づいて生成される、ステップと、
第２プレビュー画像を見るときにユーザの顔が前記前面カメラに向くよう、前記前面カメラに近接した位置である前記スクリーンの所定の位置に前記第２プレビュー画像を表示するステップであって、前記第２プレビュー画像は、前記前面カメラによって取得される前記複数の画像に基づいて生成され、前記第２プレビュー画像のサイズは、前記第１プレビュー画像のサイズよりも小さい、ステップと
撮影要求を検出すると、取得される前記複数の画像のうちの１つの画像を、セルフタイマー画像としてキャプチャするステップであって、前記第２プレビュー画像は、前記セルフタイマー画像をキャプチャするよりも前に、前記第１プレビュー画像と一緒に表示される、ステップと
を有する方法。
【請求項２】
前記スクリーンの表示領域は、第１領域と第２領域とに分けられ、
前記第２領域は、前記第１領域よりも狭く、
前記第１領域と前記第２領域とは重なり合わず、
前記第１プレビュー画像は、前記スクリーンの前記第１領域内に表示され、
前記第２プレビュー画像は、前記スクリーンの前記第２領域内の前記所定の位置に表示され、
前記第２プレビュー画像は、縮小アルゴリズムを使用して、前記前面カメラによって取得される前記複数の画像に基づいて生成される、請求項１に記載の方法。
【請求項３】
前記スクリーンの所定の位置に前記第２プレビュー画像を表示する前記ステップが、
前記第１プレビュー画像の所定の位置に前記第２プレビュー画像を重ねて表示することによって、前記第２プレビュー画像を表示するステップを含む、請求項１に記載の方法。
【請求項４】
前記所定の位置が、
前記前面カメラと同一の垂直線上に位置し、かつ所定のしきい値よりも短い距離だけ前記前面カメラから離れた位置、又は、
前記前面カメラが位置する垂直線に対して所定の角度を有する方向に位置し、かつ所定のしきい値よりも短い距離だけ前記前面カメラから離れた位置
を含む、請求項２又は３に記載の方法。
【請求項５】
前記第２プレビュー画像に対する前記ユーザの操作命令を受信するステップと、
前記操作命令によって指示される目標位置に前記第２プレビュー画像を表示するステップと
をさらに有する、請求項１から４のいずれか一項に記載の方法。
【請求項６】
装置であって、
メモリと、
前記メモリに接続されたプロセッサと
を具備し、
前記プロセッサは、
セルフタイマーモードで前面カメラを介して複数の画像を取得することであって、前記前面カメラ及びスクリーンが、前記装置の同一の面に配置される、ことと、
前記スクリーンに第１プレビュー画像を表示することであって、前記第１プレビュー画像は、前記前面カメラによって取得される前記複数の画像に基づいて生成される、ことと、
第２プレビュー画像を見るときにユーザの顔が前記前面カメラに向くよう、前記前面カメラに近接した位置である前記スクリーンの所定の位置に前記第２プレビュー画像を表示することであって、前記第２プレビュー画像は、前記前面カメラによって取得される前記複数の画像に基づいて生成され、前記第２プレビュー画像のサイズは、前記第１プレビュー画像のサイズよりも小さい、ことと、
撮影要求を検出すると、取得される前記複数の画像のうちの１つの画像を、セルフタイマー画像としてキャプチャすることであって、前記第２プレビュー画像は、前記セルフタイマー画像をキャプチャするよりも前に、前記第１プレビュー画像と一緒に表示される、ことと
を行うように構成される、装置。
【請求項７】
前記スクリーンの表示領域は、第１領域と第２領域とに分けられ、
前記第２領域は、前記第１領域よりも狭く、
前記第１領域と前記第２領域とは重なり合わず、
前記第１プレビュー画像は、前記スクリーンの前記第１領域内に表示され、
前記第２プレビュー画像は、前記スクリーンの前記第２領域内の前記所定の位置に表示され、
前記第２プレビュー画像は、縮小アルゴリズムを使用して、前記前面カメラによって取得される前記複数の画像に基づいて生成される、請求項６に記載の装置。
【請求項８】
前記第１プレビュー画像の所定の位置に前記第２プレビュー画像を重ねて表示することによって、前記第２プレビュー画像を表示するようにさらに構成される、請求項６に記載の装置。
【請求項９】
前記所定の位置が、
前記前面カメラと同一の垂直線上に位置し、かつ所定のしきい値よりも短い距離だけ前記前面カメラから離れた位置、又は、
前記前面カメラが位置する垂直線に対して所定の角度を有する方向に位置し、かつ所定のしきい値よりも短い距離だけ前記前面カメラから離れた位置
を含む、請求項７又は８に記載の装置。
【請求項１０】
前記プロセッサに接続され、前記第２プレビュー画像に対する前記ユーザの操作命令を受信するように構成された受信機をさらに具備し、
前記プロセッサが、前記操作命令によって指示される目標位置に前記第２プレビュー画像を表示するようにさらに構成される、請求項６から９のいずれか一項に記載の装置。
【請求項１１】
端末であって、
プロセッサと、
前面カメラと、
背面カメラと、
スクリーンと
を具備し、
前記前面カメラ、前記背面カメラ及び前記スクリーンは、前記プロセッサに接続され、
前記前面カメラ及び前記スクリーンは、前記端末の同一の面に配置され、
前記プロセッサは、
セルフタイマーモードで前記前面カメラを介して複数の画像を取得することと、
前記スクリーンに第１プレビュー画像を表示することであって、前記第１プレビュー画像は、前記前面カメラによって取得される前記複数の画像に基づいて生成される、ことと、
第２プレビュー画像を見るときにユーザの顔が前記前面カメラに向くよう、前記前面カメラに近接した位置である前記スクリーンの所定の位置に前記第２プレビュー画像を表示することであって、前記第２プレビュー画像は、前記前面カメラによって取得される前記複数の画像に基づいて生成され、前記第２プレビュー画像のサイズは、前記第１プレビュー画像のサイズよりも小さい、ことと、
撮影要求を検出すると、取得される前記複数の画像のうちの１つの画像を、セルフタイマー画像としてキャプチャすることであって、前記第２プレビュー画像は、前記セルフタイマー画像をキャプチャするよりも前に、前記第１プレビュー画像と一緒に表示される、ことと
を行う、端末。
【請求項１２】
前記スクリーンの表示領域は、第１領域と第２領域とに分けられ、
前記第２領域は、前記第１領域よりも狭く、
前記第１領域と前記第２領域とは重なり合わず、
前記第１プレビュー画像は、前記スクリーンの前記第１領域内に表示され、
前記第２プレビュー画像は、前記スクリーンの前記第２領域内の前記所定の位置に表示され、
前記第２プレビュー画像は、縮小アルゴリズムを使用して、前記前面カメラによって取得される前記複数の画像に基づいて生成される、請求項１１に記載の端末。
【請求項１３】
前記プロセッサが、前記第１プレビュー画像の所定の位置に前記第２プレビュー画像を重ねて表示することによって、前記第２プレビュー画像を表示するようにさらに構成される、請求項１１に記載の端末。
【請求項１４】
前記所定の位置が、
前記前面カメラと同一の垂直線上に位置し、かつ所定のしきい値よりも短い距離だけ前記前面カメラから離れた位置、又は、
前記前面カメラが位置する垂直線に対して所定の角度を有する方向に位置し、かつ所定のしきい値よりも短い距離だけ前記前面カメラから離れた位置
を含む、請求項１２又は１３に記載の端末。
【請求項１５】
前記プロセッサが、
前記第２プレビュー画像に対する前記ユーザの操作命令を受信し、前記操作命令によって指示される目標位置に前記第２プレビュー画像を表示するようにさらに構成される、請求項１１から１４のいずれか一項に記載の端末。
【請求項１６】
請求項１から５のいずれか一項に記載の方法をコンピュータに実行させるプログラムを記録したコンピュータ読み取り可能な記録媒体。
【発明の詳細な説明】
【技術分野】
【０００１】
この出願は、２０１３年１月２２日付けで中国特許庁に出願された中国特許出願第２０１３１００２３３６２．８号の優先権を主張するものである。引用により、上記中国出願の全内容が本出願に援用される。
【０００２】
本発明は、インテリジェント端末技術の分野に関し、詳細には、プレビュー画像表示方法及び装置、並びに端末に関する。
【背景技術】
【０００３】
従来技術において、インテリジェント端末は広く利用されている。通常、インテリジェント端末には、１つの前面カメラと、１つの背面カメラとが配置され得る。ありふれた構成においては、前面カメラは、インテリジェント端末を保持したユーザに面し、ユーザがテレビ電話をかけるか又は自身の姿を撮影する際に、画像表示を実行し得る。ユーザが自身の姿を撮影する場合を例に取ると、インテリジェント端末は、前面カメラの出力に基づいてスクリーンにプレビュー画像をリアルタイムで表示し得る。ユーザは、前面カメラによってキャプチャされた画像のプレビュー画像に基づいて、スクリーン上で画像の構図を調整し得、調整によって満足のいく構図が得られたら、カメラのシャッターボタンを押して撮影を完了させる。
【０００４】
従来技術を調査する過程で、発明者は、インテリジェント端末は、通常、プレビュー画像をフルスクリーン表示すること、プレビュー画像を見るとき、ユーザは、通常、画像の中央を注視すること、及びこの場合、ユーザの視線が前面カメラからそれるので、プレビュー画像中のユーザの目に焦点を合わせるのが困難になること、を見出した。さらに、前面カメラを注視する場合に、ユーザは、周辺視野を利用することによってしかプレビュー画像を見ることができず、表現を変更してキャプチャを行うことが困難となる。このようなことから、インテリジェント端末が前面カメラによってキャプチャされた画像のプレビュー表示を実行する際、その表示がフルスクリーン表示でしか実行できないので、写真撮影結果が不十分なものとなり、それにより、ユーザの写真撮影体験を貧しくすることを知り得た。
【発明の概要】
【発明が解決しようとする課題】
【０００５】
本発明の態様は、プレビュー画像をフルスクリーン表示することに起因した不十分な写真撮影結果及び貧しいユーザ写真撮影体験についての従来技術における問題を解決するために、プレビュー画像表示方法及び装置、並びに端末を提供する。
【課題を解決するための手段】
【０００６】
上記の技術的課題を解決するために、本発明の態様は、以下の技術的解決策を開示する。
【０００７】
第１態様によれば、プレビュー画像表示方法が提供され、この方法は、
端末により、カメラによってキャプチャされた画像が取得されるステップと、
画像に基づいて生成される第１プレビュー画像及び第２プレビュー画像が端末のスクリーンに表示されるステップとを有し、ここで、第２プレビュー画像のサイズは、第１プレビュー画像のサイズよりも小さい。
【０００８】
第１態様を引用する、第１態様の第１実施可能態様において、画像に基づいて生成される第１プレビュー画像及び第２プレビュー画像が端末のスクリーンに表示されるステップは、
画像に基づいて生成される第１プレビュー画像がスクリーンの表示領域に表示されるステップと、
縮小アルゴリズムを使用することによって、第１プレビュー画像に基づいて第２プレビュー画像が生成されるステップと、
表示領域内の所定の位置に第２プレビュー画像が表示されるステップとを含む。
【０００９】
第１態様の第１実施可能態様を引用する、第１態様の第２実施可能態様において、表示領域内の所定の位置に第２プレビュー画像が表示されるステップは、
第１プレビュー画像の所定の位置に第２プレビュー画像を重ねて表示することによって、第２プレビュー画像が表示されるステップ、又は、
第１プレビュー画像の位置とは別の所定の位置に第２プレビュー画像が表示されるステップを含む。
【００１０】
第１態様の第１実施可能態様又は第１態様の第２実施可能態様を引用する、第１態様の第３実施可能態様において、所定の位置は、
カメラと同一の垂直線上に位置し、かつ所定のしきい値よりも短い距離だけカメラから離れた位置、又は、
カメラが位置する垂直線に対して所定の角度を有する方向に位置し、かつ所定のしきい値よりも短い距離だけカメラから離れた位置を含む。
【００１１】
第１態様、第１態様の第１実施可能態様、第１態様の第２実施可能態様、又は第１態様の第３実施可能態様を引用する、第１態様の第４実施可能態様において、上記の方法は、
第２プレビュー画像に対するユーザの操作命令が受信されるステップと、
第２プレビュー画像が操作命令によって指示される目標位置に表示されるステップとをさらに有する。
【００１２】
第２態様によれば、プレビュー画像表示装置が提供され、この装置は、
カメラによってキャプチャされた画像を取得するように構成された取得ユニットと、
取得ユニットによって取得された画像に基づいて生成される第１プレビュー画像及び第２プレビュー画像を端末のスクリーンに表示するように構成された表示ユニットとを具備し、ここで、第２プレビュー画像のサイズは、第１プレビュー画像のサイズよりも小さい。
【００１３】
第２態様を引用する、第２態様の第１実施可能態様において、表示ユニットは、
画像に基づいて生成される第１プレビュー画像をスクリーンの表示領域に表示するように構成された第１表示サブユニットと、
縮小アルゴリズムを使用することによって、第１プレビュー画像に基づいて第２プレビュー画像を生成し、表示領域内の所定の位置に第２プレビュー画像を表示するように構成された第２表示サブユニットとを具備する。
【００１４】
第２態様の第１実施可能態様を引用する、第２態様の第２実施可能態様において、第２表示サブユニットは、第１プレビュー画像の所定の位置に第２プレビュー画像を重ねて表示することによって、第２プレビュー画像を表示するか、又は、第１プレビュー画像の位置とは別の所定の位置に第２プレビュー画像を表示するようにさらに構成される。
【００１５】
第２態様、第２態様の第１実施可能態様、又は第２態様の第２実施可能態様を引用する、第２態様の第３実施可能態様において、上記の装置は、
第２プレビュー画像に対するユーザの操作命令を受信するように構成された受信ユニットをさらに具備し、ここで、
表示ユニットは、受信ユニットによって受信された操作命令によって指示される目標位置に第２プレビュー画像を表示するようにさらに構成される。
【００１６】
第３態様によれば、端末が提供され、この端末は、プロセッサと、プロセッサに接続されたカメラと、プロセッサに接続されたスクリーンとを具備し、ここで、
カメラは、画像をキャプチャし、画像をプロセッサに転送するように構成され、
プロセッサは、画像に基づいて生成される第１プレビュー画像及び第２プレビュー画像をスクリーンに表示するように構成され、ここで、第２プレビュー画像のサイズは、第１プレビュー画像のサイズよりも小さい。
【００１７】
第３態様を引用する、第３態様の第１実施可能態様において、プロセッサは、画像に基づいて生成される第１プレビュー画像をスクリーンの表示領域に表示し、縮小アルゴリズムを使用することによって、第１プレビュー画像に基づいて第２プレビュー画像を生成し、表示領域内の所定の位置に第２プレビュー画像を表示するようにさらに構成される。
【００１８】
第３態様の第１実施可能態様を引用する、第３態様の第２実施可能態様において、プロセッサは、第１プレビュー画像の所定の位置に第２プレビュー画像を重ねて表示することによって、第２プレビュー画像を表示するか、又は、第１プレビュー画像の位置とは別の所定の位置に第２プレビュー画像を表示するようにさらに構成される。
【００１９】
第３態様、第３態様の第１実施可能態様、又は第３態様の第２実施可能態様を引用する、第３態様の第３実施可能態様において、プロセッサは、第２プレビュー画像に対するユーザの操作命令を受信し、操作命令によって指示される目標位置に第２プレビュー画像を表示するようにさらに構成される。
【発明の効果】
【００２０】
本発明の態様において、端末は、カメラによってキャプチャされた画像を取得し、画像に基づいて生成される第１プレビュー画像及び第２プレビュー画像を端末のスクリーンに表示し、ここで、第２プレビュー画像のサイズは、第１プレビュー画像のサイズよりも小さい。本発明の態様では、ユーザが第２プレビュー画像に基づいて写真の構図を調整できるよう、第１プレビュー画像が従来通りフルスクリーン表示されるとともに、第１プレビュー画像よりも小さい第２プレビュー画像が追加的に表示され得る。それにより、写真撮影結果を向上させ、ユーザの写真撮影体験を良好なものとする。
【００２１】
本発明の実施形態における又は従来技術における技術的解決策をより明確に説明するために、本発明の実施形態又は従来技術を記述するために必要となる添付の図面について以下で簡単に説明する。当然ながら、当業者は、創造的労力無しに、これら添付の図面から他の図面を導き出し得る。
【図面の簡単な説明】
【００２２】
【図１】本発明によるプレビュー画像表示方法の一実施形態の流れ図である。
【図２】本発明によるプレビュー画像表示方法の別の実施形態の流れ図である。
【図３】本発明によるプレビュー画像表示方法の別の実施形態の流れ図である。
【図４Ａ】本発明の方法の実施形態に従ってプレビュー画像を表示するときの概略図である。
【図４Ｂ】本発明の方法の実施形態に従ってプレビュー画像を表示するときの別の概略図である。
【図４Ｃ】本発明の方法の実施形態に従ってプレビュー画像を表示するときの別の概略図である。
【図４Ｄ】本発明の方法の実施形態に従ってプレビュー画像を表示するときの別の概略図である。
【図４Ｅ】本発明の方法の実施形態に従ってプレビュー画像を表示するときの別の概略図である。
【図５】本発明によるプレビュー画像表示装置の一実施形態の構成図である。
【図６】本発明によるプレビュー画像表示装置の別の実施形態の構成図である。
【図７】本発明による端末の一実施形態の構成図である。
【発明を実施するための形態】
【００２３】
本発明の以下の実施形態は、プレビュー画像表示方法及び装置、並びに端末を提供する。
【００２４】
さらに、以下では、本発明の実施形態における技術的解決策が当業者により良く理解されるように、かつ、本発明の実施形態の上記の目的、特徴、及び利点をより明瞭かつ理解可能にするために、添付の図面を参照して、本発明の実施形態における技術的解決策について詳細に説明する。
【００２５】
図１を参照すると、図１は、本発明によるプレビュー画像表示方法の一実施形態の流れ図である。
【００２６】
ステップ１０１：端末が、カメラによってキャプチャされた画像を取得する。
【００２７】
この実施形態における端末は、カメラとタッチスクリーンとが一体化されたインテリジェント端末であってよく、例えば、スマートフォン、パーソナルデジタルアシスタント（ＰＤＡ）、パーソナルアクセスデバイス（ＰＡＤ）、及び写真撮影用カメラであってよい。カメラは、自撮り（selfie）機能を有した前面カメラであってよく、それに対応して、本発明のこの実施形態において表示されるプレビュー画像は、前面カメラによってキャプチャされた画像であってよい。
【００２８】
ステップ１０２：画像に基づいて生成される第１プレビュー画像及び第２プレビュー画像が端末のスクリーンに表示される。ここで、第２プレビュー画像のサイズは、第１プレビュー画像のサイズよりも小さい。
【００２９】
カメラによってキャプチャされた画像に基づいて生成される第１プレビュー画像は、スクリーンの表示領域に表示されてよく、第２プレビュー画像は、縮小（downscale）アルゴリズムを使用することによって、第１プレビュー画像に基づいて生成されてよく、かつ第２プレビュー画像は、表示領域内の所定の位置に表示されてよい。この実施形態において、第２プレビュー画像のサイズは、第１プレビュー画像のサイズよりも小さい。選択的に、第２プレビュー画像は、第１プレビュー画像の所定の位置に第２プレビュー画像を重ねて表示（superimpose）することよって表示されてよく、又は、第２プレビュー画像は、第１プレビュー画像の位置とは別の所定の位置に表示されてもよい。
【００３０】
上記の実施形態から、この実施形態では、ユーザが第２プレビュー画像に基づいて写真の構図を調整できるよう、第１プレビュー画像が従来通りフルスクリーン表示されるとともに、第１プレビュー画像よりも小さい第２プレビュー画像が追加的に表示され得、それにより、写真撮影結果を向上させ、ユーザの写真撮影体験を良好なものとする、ということを知り得る。
【００３１】
図２を参照すると、図２は、本発明によるプレビュー画像表示方法の別の実施形態の流れ図である。
【００３２】
ステップ２０１：端末が、カメラによってキャプチャされた画像を取得する。
【００３３】
この実施形態における端末は、カメラとタッチスクリーンとが一体化されたインテリジェント端末であってよく、例えば、スマートフォン、ＰＤＡ、パームトップコンピュータ（ＰＡＤ）、及び写真撮影用カメラであってよい。カメラは、自撮り機能を有した前面カメラであってよく、それに対応して、本発明のこの実施形態において表示されるプレビュー画像は、前面カメラによってキャプチャされた画像であってよい。
【００３４】
ステップ２０２：画像に基づいて生成される第１プレビュー画像がスクリーンの表示領域に表示される。
【００３５】
この実施形態において、第１プレビュー画像の表示手法は、従来技術のものと同一である。通常、第１プレビュー画像は、スクリーンの表示領域にフルスクリーン表示され得る。このことは、明細書中で繰り返し説明しない。
【００３６】
ステップ２０３：縮小アルゴリズムを使用することによって、第１プレビュー画像に基づいて第２プレビュー画像が生成される。
【００３７】
この実施形態において、第２プレビュー画像のサイズは、第１プレビュー画像のサイズよりも小さい。第２プレビュー画像は、さまざまな既存の縮小アルゴリズムを使用することによって生成されてよく、例えば、第１プレビュー画像を入力として使用して、第１プレビュー画像の４分の１のサイズの第２プレビュー画像が生成されてよい。この実施形態において、第２プレビュー画像のサイズは、特定のサイズに限定されない。
【００３８】
ステップ２０４：生成された第２プレビュー画像が表示領域内の所定の位置に表示される。
【００３９】
この実施形態において、第２プレビュー画像は、第１プレビュー画像の所定の位置に第２プレビュー画像を重ねて表示することによって表示されてよく、又は、表示領域が２つの部分に分割され、そのうちの、より広い部分が第１プレビュー画像を表示するために使用され、より狭い部分が第２プレビュー画像を表示するために使用されてもよく、換言すれば、第２プレビュー画像は、第１プレビュー画像の位置とは別の所定の位置に表示されてもよい。
【００４０】
この実施形態において、所定の位置は、カメラに近接した位置、例えば、カメラと同一の垂直線上に位置し、かつ所定のしきい値よりも短い距離だけカメラから離れた位置、又は、カメラに対して所定の角度を有した位置、例えば、カメラが位置する垂直線に対して所定の角度を有する方向に位置し、かつ所定のしきい値よりも短い距離だけカメラから離れた位置を含んでよい。
【００４１】
上記の実施形態から、この実施形態では、ユーザが第２プレビュー画像に基づいて写真の構図を調整できるよう、第１プレビュー画像が従来通りフルスクリーン表示されるとともに、第１プレビュー画像よりも小さい第２プレビュー画像が追加的に表示され得、それにより、写真撮影結果を向上させ、ユーザの写真撮影体験を良好なものとする、ということを知り得る。例えば、第２プレビュー画像がカメラの近くに表示される場合、ユーザは、第２プレビュー画像を注視する際に、視線をカメラに合わせることができ、それにより、写真撮影結果を良好なものとする。
【００４２】
図３を参照すると、図３は、本発明によるプレビュー画像表示方法の別の実施形態の流れ図である。
【００４３】
ステップ３０１：端末が、カメラによってキャプチャされた画像を取得する。
【００４４】
この実施形態における端末は、カメラとタッチスクリーンとが一体化されたインテリジェント端末であってよく、例えば、スマートフォン、ＰＤＡ、パームトップコンピュータ（ＰＡＤ）、及び写真撮影用カメラであってよい。カメラは、自撮り機能を有した前面カメラであってよく、それに対応して、本発明のこの実施形態において表示されるプレビュー画像は、前面カメラによってキャプチャされた画像であってよい。
【００４５】
ステップ３０２：画像に基づいて生成される第１プレビュー画像及び第２プレビュー画像が端末のスクリーンに表示される。ここで、第２プレビュー画像のサイズは、第１プレビュー画像のサイズよりも小さい。
【００４６】
カメラによってキャプチャされた画像に基づいて生成される第１プレビュー画像は、スクリーンの表示領域に表示されてよく、第２プレビュー画像は、縮小アルゴリズムを使用することによって、第１プレビュー画像に基づいて生成されてよく、かつ第２プレビュー画像は、表示領域内の所定の位置に表示されてよい。この実施形態において、第２プレビュー画像のサイズは、第１プレビュー画像のサイズよりも小さい。選択的に、第２プレビュー画像は、第１プレビュー画像の所定の位置に第２プレビュー画像を重ねて表示することよって表示されてよく、又は、第２プレビュー画像は、第１プレビュー画像の位置とは別の所定の位置に表示されてもよい。
【００４７】
ステップ３０３：第２プレビュー画像に対するユーザの操作命令が受信される。
【００４８】
図２の実施形態との差異は、この実施形態では、ステップ３０２に従って第２プレビュー画像がスクリーンに表示された後に、ユーザは、写真撮影の要求に応じて、操作命令を使用してスクリーン上の第２プレビュー画像を移動させ得る、ということである。端末は、ユーザによる選択のために所定の位置の選択肢を提供してよく、位置に対するユーザの選択動作は、対応する操作命令を生成する。あるいは、タッチスクリーンに対して、ユーザは、スクリーン上の第２プレビュー画像をドラッグし得、対応する操作命令は、ドラッグジェスチャを使用して生成される。
【００４９】
ステップ３０４：操作命令によって指示される目標位置に第２プレビュー画像が表示される。
【００５０】
異なる操作命令タイプによれば、操作命令が位置に対するユーザの選択動作に基づいて生成される操作命令である場合、ユーザが選択を終えた後に、第２プレビュー画像は、操作命令に従って、選択された目標位置に表示され、操作命令がドラッグジェスチャである場合、ユーザがドラッグを終えた後に、第２プレビュー画像は、ドラッグジェスチャによって生成される操作命令に従って、スクリーンからユーザの指が離れた位置である目標位置に表示される。
【００５１】
上記の実施形態から、この実施形態では、ユーザが第２プレビュー画像に基づいて写真の構図を調整できるよう、第１プレビュー画像が従来通りフルスクリーン表示されるとともに、第１プレビュー画像よりも小さい第２プレビュー画像が追加的に表示され得、それにより、写真撮影結果を向上させ、ユーザの写真撮影体験を良好なものとする、ということを知り得る。さらに、ユーザは、自身の写真撮影の要求に応じて柔軟な画像の構図決定がなされるよう、第２プレビュー画像を移動させることができ、これは、ユーザの写真撮影体験をさらに良好なものとする。例えば、第２プレビュー画像がカメラの近くに表示される場合、ユーザは、第２プレビュー画像を注視する際に、視線をカメラに合わせることができ、それにより、写真撮影結果を良好なものとする。別の例では、ユーザが側方をキャプチャしたいと望む場合、第２プレビュー画像は、第２プレビュー画像に基づく画像の構図決定がなされるよう、カメラが位置する垂直線に対して所定の角度を有する方向にドラッグされてよい。
【００５２】
以下では、いくつかの表示の例を参照して、本発明のプレビュー画像表示結果について説明する。
【００５３】
図４Ａを参照すると、図４Ａは、本発明の方法の実施形態を適用することによってプレビュー画像を表示するときの概略図である。前面カメラは、スクリーンの右上に配置され、第１プレビュー画像は、表示領域にフルスクリーン表示され、第２プレビュー画像は、第１プレビュー画像上に重ねて表示され、かつ第２プレビュー画像は、前面カメラの下に表示される。第２プレビュー画像が前面カメラの近くに位置するので、ユーザが第２プレビュー画像を注視しているとき、表示される画像は、ユーザがカメラを注視しているときの画像となる。
【００５４】
図４Ｂを参照すると、図４Ｂは、本発明の方法の実施形態を適用することによってプレビュー画像を表示するときの別の概略図である。前面カメラは、スクリーンの左上に配置され、第１プレビュー画像は、表示領域にフルスクリーン表示され、第２プレビュー画像は、第１プレビュー画像上に重ねて表示され、かつ第２プレビュー画像は、前面カメラが位置する垂直線に対して４５度の角度を有する。この場合、ユーザが第２プレビュー画像を注視しているとき、ユーザの側面が写真撮影結果として表示され得る。図４Ｂは、第２プレビュー画像と前面カメラが位置する垂直線との角度を４５度に限定することを意図しない、ということに留意されたい。ユーザが第２プレビュー画像を注視しているときにユーザの側面が写真撮影結果として表示可能である限りは、任意の角度が許容される。
【００５５】
図４Ｃを参照すると、図４Ｃは、本発明の方法の実施形態を適用することによってプレビュー画像を表示するときの別の概略図である。図４Ｂに基づき、ユーザは、ジェスチャを使用して第２プレビュー画像をドラッグし得、第２プレビュー画像を、前面カメラが位置する垂直線に対して４５度の角度を有する位置から、前面カメラの下にドラッグする。したがって、前面カメラの写真撮影の角度は、ユーザの側面からユーザの正面に調整され得、表示される画像は、ユーザがカメラを注視しているときの画像となる。
【００５６】
図４Ｄを参照すると、図４Ｄは、本発明の方法の実施形態を適用することによってプレビュー画像を表示するときの別の概略図である。図４Ａとの差異は、前面カメラは、スクリーンよりも下の中央位置に配置され、第１プレビュー画像は、表示領域にフルスクリーン表示され、第２プレビュー画像は、第１プレビュー画像上に重ねて表示され、かつ第２プレビュー画像は、前面カメラの上に表示される、ということである。
【００５７】
図４Ｅを参照すると、図４Ｅは、本発明の方法の実施形態を適用することによってプレビュー画像を表示するときの別の概略図である。図４Ｂとの差異は、スクリーンの表示領域は、２つの部分に分割され、そのうちの、スクリーンの下側のより広い第１領域が第１プレビュー画像をフルスクリーン表示するために使用され、第１領域の上の第２領域が第２プレビュー画像を表示するために使用され、かつ第２プレビュー画像は、第２領域内の任意の位置に表示されてよい、ということである。当然ながら、第２プレビュー画像は、第１プレビュー画像上に第２プレビュー画像を重ねて表示することによって表示されてもよく、この実施形態に限定されない。
【００５８】
本発明のプレビュー画像表示方法の実施形態に対応して、本発明は、プレビュー画像表示装置と、端末とをさらに提供する。
【００５９】
図５を参照すると、図５は、本発明によるプレビュー画像表示装置の一実施形態の構成図である。
【００６０】
装置は、取得ユニット５１０と、表示ユニット５２０とを備える。
【００６１】
取得ユニット５１０は、カメラによってキャプチャされた画像を取得するように構成される。
【００６２】
表示ユニット５２０は、取得ユニット５１０によって取得された画像に基づいて生成される第１プレビュー画像表示及び第２プレビュー画像表示を端末のスクリーンに表示するように構成される。ここで、第２プレビュー画像のサイズは、第１プレビュー画像のサイズよりも小さい。
【００６３】
選択的に、表示ユニット５２０は、（図５には図示していないが、）
画像に基づいて生成される第１プレビュー画像をスクリーンの表示領域に表示するように構成された第１表示サブユニットと、
縮小アルゴリズムを使用することによって、第１プレビュー画像に基づいて第２プレビュー画像を生成し、表示領域内の所定の位置に第２プレビュー画像を表示するように構成された第２表示サブユニットとを備えてよい。
【００６４】
第２表示サブユニットは、第１プレビュー画像の所定の位置に第２プレビュー画像を重ねて表示することによって、第２プレビュー画像を表示するか、又は、第１プレビュー画像の位置とは別の所定の位置に第２プレビュー画像を表示するようにさらに構成されてよい。
【００６５】
図６を参照すると、図６は、本発明によるプレビュー画像表示装置の別の実施形態の構成図である。
【００６６】
装置は、取得ユニット６１０と、表示ユニット６２０と、受信ユニット６３０とを備える。
【００６７】
取得ユニット６１０は、カメラによってキャプチャされた画像を取得するように構成される。
【００６８】
表示ユニット６２０は、取得ユニット６１０によって取得された画像に基づいて生成される第１プレビュー画像表示及び第２プレビュー画像表示を端末のスクリーンに表示するように構成される。ここで、第２プレビュー画像のサイズは、第１プレビュー画像のサイズよりも小さい。
【００６９】
受信ユニット６３０は、第２プレビュー画像に対するユーザの操作命令を受信するように構成される。
【００７０】
表示ユニット６２０は、受信ユニット６３０によって受信された操作命令によって指示される目標位置に第２プレビュー画像を表示するようにさらに構成される。
【００７１】
選択的に、表示ユニット６２０は、（図６には図示していないが、）
画像に基づいて生成される第１プレビュー画像をスクリーンの表示領域に表示するように構成された第１表示サブユニットと、
縮小アルゴリズムを使用することによって、第１プレビュー画像に基づいて第２プレビュー画像を生成し、表示領域内の所定の位置に第２プレビュー画像を表示するように構成された第２表示サブユニットとを備えてよい。
【００７２】
第２表示サブユニットは、第１プレビュー画像の所定の位置に第２プレビュー画像を重ねて表示することによって、第２プレビュー画像を表示するか、又は、第１プレビュー画像の位置とは別の所定の位置に第２プレビュー画像を表示するようにさらに構成されてよい。
【００７３】
図７を参照すると、図７は、本発明による端末の一実施形態の構成図である。
【００７４】
端末は、プロセッサ７１０と、プロセッサ７１０に接続されたカメラ７２０と、プロセッサ７１０に接続されたスクリーン７３０とを備える。
【００７５】
カメラ７２０は、画像をキャプキャし、プロセッサ７１０に画像を転送するように構成される。
【００７６】
プロセッサ７１０は、画像に基づいて生成される第１プレビュー画像及び第２プレビュー画像をスクリーン７３０に表示するように構成される。ここで、第２プレビュー画像のサイズは、第１プレビュー画像のサイズよりも小さい。
【００７７】
選択的に、プロセッサ７１０は、画像に基づいて生成される第１プレビュー画像をスクリーン７３０の表示領域に表示し、縮小アルゴリズムを使用することによって、第１プレビュー画像に基づいて第２プレビュー画像を生成し、表示領域内の所定の位置に第２プレビュー画像を表示するようにさらに構成されてよい。
【００７８】
選択的に、プロセッサ７１０は、第１プレビュー画像の所定の位置に第２プレビュー画像を重ねて表示することによって、第２プレビュー画像を表示するか、又は、第１プレビュー画像の位置とは別の所定の位置に第２プレビュー画像を表示するようにさらに構成されてよい。
【００７９】
選択的に、プロセッサ７１０は、第２プレビュー画像に対するユーザの操作命令を受信し、操作命令によって指示される目標位置に第２プレビュー画像を表示するようにさらに構成されてよい。
【００８０】
上記の実施形態から、端末は、カメラによってキャプチャされた画像を取得し、画像に基づいて生成される第１プレビュー画像及び第２プレビュー画像を端末のスクリーンに表示し、ここで、第２プレビュー画像のサイズは、第１プレビュー画像のサイズよりも小さい、ということを知り得る。本発明の実施形態では、ユーザが第２プレビュー画像に基づいて写真の構図を調整できるよう、第１プレビュー画像が従来通りフルスクリーン表示されるとともに、第１プレビュー画像よりも小さい第２プレビュー画像が追加的に表示され得る。それにより、写真撮影結果を向上させ、ユーザの写真撮影体験を良好なものとする。
【００８１】
当業者は、本発明の実施形態における技術が、必要となる汎用ハードウェアプラットホームに加えて、ソフトウェアによって実施され得ることを明白に理解するであろう。そのような理解に基づき、本発明の実施形態の技術的解決策は、本質的に又は従来技術に部分的に寄与するものとして、ソフトウェア製品の形態で実施されてよい。コンピュータソフトウェア製品は、ＲＯＭ／ＲＡＭ、磁気ディスク、又は光ディスクなどの記録媒体に格納されてよく、（パーソナルコンピュータ、サーバ、又はネットワークデバイスであってよい）コンピュータデバイスに命令を発するいくつかの命令を含み、本発明の実施形態又は実施形態のいくつかの部分として記述された方法を実行する。
【００８２】
この明細書中の実施形態は、すべて、累進的態様で記述される。実施形態中の同一の又は同様の部分は、互いに参照可能である。各実施形態の要点は、他の実施形態との差異と位置付けられる。具体的には、装置の実施形態は、方法の実施形態と基本的に同様であるので、比較的に簡潔な記載がなされており、関連する部分については、方法の実施形態について記載された部分への参照がなされ得る。
【００８３】
以上に記載した本発明の実施形態は、本発明の保護範囲を限定することを意図しない。本発明の精神及び原理から逸脱することなく行われる任意の修正、均等な置換、及び改良は、本発明の保護範囲内にある。
【符号の説明】
【００８４】
５１０  取得ユニット
５２０  表示ユニット
６１０  取得ユニット
６２０  表示ユニット
６３０  受信ユニット
７１０  プロセッサ
７２０  カメラ
７３０  スクリーン
【図１】
2018023158.tif 000003
【図２】
2018023158.tif 000004
【図３】
2018023158.tif 000005
【図４Ａ】
2018023158.tif 000006
【図４Ｂ】
2018023158.tif 000007
【図４Ｃ】
2018023158.tif 000008
【図４Ｄ】
2018023158.tif 000009
【図４Ｅ】
2018023158.tif 000010
【図５】
2018023158.tif 000011
【図６】
2018023158.tif 000012
【図７】
2018023158.tif 000013
【外国語明細書】
2018023158000001.pdf